(57)【要約】      （修正有）【課題】遊技者をして画像表示器の表示を見るように仕向けると共に、遊技状態表示装置を設けることにより不正行為や不正改造を防止する。また、遊技状態表示装置が隣の遊技者からのぞき見されないようにする。【解決手段】メイン制御基板は図柄変動パターン情報と遊技モード情報とをサブ制御基板に出力し、該サブ制御基板は遊技盤上に設けられた画像表示器５に該図柄変動パターン情報と遊技モード情報に基いて図柄を変動表示すると共に、該遊技盤の片隅に点光源状のＬＥＤ１５ａ〜１５ｈ、１６ａ〜１６ｈを複数個非直線状に配置し、前記メイン制御基板から出力された図柄変動パターン情報と遊技モード情報に基き該各ＬＥＤを点灯または消灯させることにより該パチンコ遊技機の遊技状態が表示されるようにすると共に、のぞき見防止フィルム１７を該各ＬＥＤを覆うように設け、該各ＬＥＤが遊技機前面の特定方向からのみ限定的に視認されるようにした。【選択図】図２
2010017267.tif 000002
【特許請求の範囲】
【請求項１】
遊技盤の片隅に点光源状のＬＥＤを複数個非直線状に配置し、遊技制御基板から出力された図柄変動パターン情報と遊技モード情報に基き該各ＬＥＤを点灯または消灯させることによりパチンコ遊技機の遊技状態が表示されるようにすると共に、のぞき見防止フィルムを該各ＬＥＤを覆うように設けることにより、該各ＬＥＤが遊技機前面の特定方向からのみ限定的に視認されるようにしたことを特徴とするパチンコ遊技機の遊技状態表示装置。
【請求項２】
少なくともメイン制御基板とサブ制御基板とを具備し、該メイン制御基板は始動条件が成立することで乱数を取得し、該乱数に従って決定された少なくとも図柄変動パターン情報と遊技モード情報とをサブ制御基板に出力し、該サブ制御基板は遊技盤上に設けられた画像表示器に該図柄変動パターン情報と遊技モード情報に基いて図柄を変動表示すると共に、該遊技盤の片隅に点光源状のＬＥＤを複数個非直線状に配置し、前記メイン制御基板から出力された図柄変動パターン情報と遊技モード情報に基き該各ＬＥＤを点灯または消灯させることにより該パチンコ遊技機の遊技状態が表示されるようにすると共に、のぞき見防止フィルムを該各ＬＥＤを覆うように設けることにより、該各ＬＥＤが遊技機前面の特定方向からのみ限定的に視認されるようにしたことを特徴とするパチンコ遊技機の遊技状態表示装置。
【発明の詳細な説明】
【技術分野】
【０００１】
本発明は、遊技盤上に大型の画像表示器が設けられ、始動条件が成立することにより該画像表示器に図柄が変動表示され、その変動停止によりハズレ図柄または大当たり図柄が表示され、大当たりとなると大入賞口が継続的に開くパチンコ遊技機において、その遊技状態を簡易的に表示するために設けられる遊技状態表示装置に関するものである。
【背景技術】
【０００２】
第１種パチンコ遊技機は、少なくともメイン制御基板とサブ制御基板とを具備し、該メイン制御基板は始動口に遊技球が入賞し始動条件が成立することで乱数を取得し、該乱数に従って決定された少なくとも図柄変動パターン情報と大当たり情報と遊技モード情報とをサブ制御基板に出力し、該サブ制御基板は遊技盤上に設けられた大型の画像表示器に該図柄変動パターン情報と大当たり情報と遊技モード情報に基いて図柄を変動表示し、該乱数が大当たり値であると判定された場合にその図柄変動停止により例えば「７７７」等の大当たり図柄が表示されることで遊技者に大当たりの発生が報知され、該乱数が大当たり値でないと判定された場合はその図柄変動停止により例えば「７６７」等のハズレ図柄が表示されるものであり、大当たりが発生すると、可変入賞装置（大入賞口）の開閉扉がソレノイドの作動により継続的に開かれることから、このような大当たり動作中に多数の景品球を取得可能になるものである。下記特許文献１〜３にはこの種の第１種パチンコ遊技機が示されている。
【０００３】
また、上記図柄変動表示に周知のリーチ表示や再変動表示をしたり、或いは特定のキャラクターを表示したり、遊技盤に設けられた電動装飾部材を作動させるなどの演出をすることにより、遊技性を増すことが従来から行われている。
【０００４】
また、第１種パチンコ遊技機であって従来から一般に「確変」と称されているものは、上記大当たり図柄が、「３３３」または「５５５」、「７７７」のように予め決められた図柄（この場合、奇数）であった場合に、大当たり動作（電動開閉大入賞口が継続的に開成すること）が終了した後の一定期間に限り「確変」と称される遊技モードとなり、大当たりを発生させる確率を通常遊技状態の時よりも高くする（以下、この状態を高確率モードという）と同時に、始動入賞口が開く時間を通常遊技状態の時よりも長くする（以下、この状態を時短モードという）ことで遊技球が始動入賞口に入賞し易くし、遊技者にとってさらに有利な遊技状態がもたらされるようにしている。
【０００５】
また、上記「確変」は、遊技者に大当たりの発生を報知することなく、高確率モードにすることで大当たりを発生させる確率を高く（突然に高確率モードになることから一般に「突確」と称される）し、遊技者にとって有利な状態にすることも下記特許文献４に示されているように従来から第１種パチンコ遊技機において採られている一つの形態である。即ち「突確」は、変動図柄が例えば「７６７」のようなハズレ表示で停止した場合であっても、その場合に限って例えば画像表示器に特定のキャラクタを登場させ、大当たりの発生確率を高くした遊技状態（高確率モード）にすることで、以降に大当たりが発生し易くなり、遊技者の期待感が増大されるようにしたものである。
また、遊技者に大当たりの発生を報知することなく、時短モードにして始動入賞口の開時間を延長し遊技球が始動入賞口に入賞し易く（突然に時短モードになることから一般に「突時」と称される）し、遊技者にとって有利な遊技状態になり得るようにしたパチンコ遊技機、さらには、「潜伏確変」、「小当たり」等と称される遊技状態になり得るパチンコ遊技機も知られている。
【０００６】
また、遊技盤の片隅に複数のＬＥＤや７セグ表示器を配置してなる遊技状態表示装置が従来から設けられ、該遊技状態表示装置にメイン制御基板から発信された図柄変動パターン情報や大当たり情報や遊技モード情報が表示されるようにすることで、このパチンコ遊技機の遊技状態が適確に判るようにすることにより、従来から、不正行為、或いは遊技機の不正改造等を防止するのに役立つようにしている。即ち、パチンコ遊技機の遊技状態は遊技盤上に設けられた大型の画像表示器の表示によって知り得るものの、該画像表示器の表示は遊技性を高めるためサブ制御基板によって制御され様々な演出がされることから、遊技状態が適確に判るように従来から遊技状態表示装置を該画像表示器とは別途に遊技盤の片隅に設けている。なお、この遊技状態表示装置は、一般の遊技者が見ることを想定して設けたものではないので、複数のＬＥＤや７セグ表示器の表示が何を意味しているのかを見分けるのは必ずしも容易ではないが、熟練した遊技者によっては、その表示を見ることで現況の遊技状態が直ちに判るようになってしまっているのが実情である。
【特許文献１】特許第２９１５３７０号公報
【特許文献２】特開２０００−１７６１１３号公報
【特許文献３】特開２００２−１７７５４３号公報
【特許文献４】特許第４００２８１４号公報
【発明の開示】
【発明が解決しようとする課題】
【０００７】
ところがこのように遊技者によっては遊技状態表示装置の表示を見ることで遊技状態が直ちに判るようになってしまっては、画像表示器によるせっかくの演出も効果がなくなるという弊害があるほか、遊技者に「突確」であること秘密にしたり、或いは、そのような遊技状態にあることを隠したりすることができないので、遊技性を減退させるおそれがある。また、従来では遊技場において隣に座った遊技者がこの遊技状態表示装置の表示をのぞき見することも可能であったので、隣の遊技者によってその状態が見られ、その遊技状態が有利であることが隣の遊技者に判ってしまうと、その遊技機が横取りされるおそれもあった。
そこで、本発明は、遊技状態表示装置の表示を遊技者に判り難いようにすることで、このような既存のパチンコ遊技機の問題点を解消しようとするものである。
【課題を解決するための手段】
【０００８】
そのために請求項１に記載したパチンコ遊技機の遊技状態表示装置は、遊技盤の片隅に点光源状のＬＥＤを複数個非直線状に配置し、遊技制御基板から出力された図柄変動パターン情報と遊技モード情報に基き該各ＬＥＤを点灯または消灯させることによりパチンコ遊技機の遊技状態が表示されるようにすると共に、のぞき見防止フィルムを該各ＬＥＤを覆うように設けることにより、該各ＬＥＤが遊技機前面の特定方向からのみ限定的に視認されるようにしたことを特徴とする。
また、請求項２に記載したパチンコ遊技機の遊技状態表示装置は、少なくともメイン制御基板とサブ制御基板とを具備し、該メイン制御基板は始動条件が成立することで乱数を取得し、該乱数に従って決定された少なくとも図柄変動パターン情報と遊技モード情報とをサブ制御基板に出力し、該サブ制御基板は遊技盤上に設けられた画像表示器に該図柄変動パターン情報と遊技モード情報に基いて図柄を変動表示すると共に、該遊技盤の片隅に点光源状のＬＥＤを複数個非直線状に配置し、前記メイン制御基板から出力された図柄変動パターン情報と遊技モード情報に基き該各ＬＥＤを点灯または消灯させることにより該パチンコ遊技機の遊技状態が表示されるようにすると共に、のぞき見防止フィルムを該各ＬＥＤを覆うように設けることにより、該各ＬＥＤが遊技機前面の特定方向からのみ限定的に視認されるようにしたことを特徴とする。
【発明の効果】
【０００９】
点光源状のＬＥＤを複数個非直線状に配置することと、該各ＬＥＤを遊技機前面の一方向からのみ限定的に視認されるようにすることにより、遊技中に該各ＬＥＤの点灯状況を見難いものにすることができる。このため、遊技者をして遊技状態表示装置の表示を見ることなく画像表示器の表示を見るように仕向けることができ、このパチンコ遊技機の遊技性を高めることができると共に、例えば監視員や検査員のような人が検査のために該各ＬＥＤの点灯状況を見ることの妨げにはならないので、不正行為や不正改造を防止することの妨げにはならない。また、隣の遊技者からも遊技状態表示装置の表示が見難いようにすることで、遊技機が横取りされるおそれもなくすことができる。
【発明を実施するための最良の形態】
【００１０】
次に本発明に係るパチンコ遊技機の実施形態を図面に従い説明する。図１はこのパチンコ遊技機の正面図で、１は遊技盤、２は球皿、３は該球皿内の遊技球を遊技盤上に発射させるために設けられた打球発射ハンドルである。遊技盤１の中央には液晶パネルからなる大型の画像表示器５が設けられている。６ａ，６ｂは該画像表示器の下方部に配設された始動口、７は該始動口のさらに下方部に配設され大当りになるとソレノイドが作動することで継続的に開放状態となり一度に多くの遊技球を入賞させることを可能にする大入賞口である。なお、始動口６ｂは一対の開閉翼片を有し、該開閉翼片がソレノイドの作動により起立して遊技球が入賞し難い状態と、外側に傾倒して開くことにより遊技球が入賞し易い状態とに変化するいわゆるチューリップ型のものである。また、８は遊技盤１面上の遊技球が流下する経路の途中に遊技球が通過し得るように配設された通過ゲートである。また、９はモータによって回転動するように遊技盤１面上に設けられた星形の電動装飾部材である。その他、普通入賞口１０、多数の遊技釘、装飾ランプ、および、特定のテーマに因んだ種々の装飾体、レール飾り等が遊技盤１上に設けられている。
【００１１】
また、１１は遊技盤１の下部片隅に設けられた遊技状態表示装置で、該遊技状態表示装置１１は、図２に拡大して示したように、一直線上に４つの点光源状のＬＥＤ１２ａ〜１２ｄを並設してなる普通図柄変動保留数表示部１２と、２つの点光源状のＬＥＤ１３ａ，１３ｂを並設してなる普通図柄表示部１３と、一直線上に４つの点光源状のＬＥＤ１４ａ〜１４ｄを並設してなる特別図柄変動保留数表示部１４と、８つの点光源状のＬＥＤ１５ａ〜１５ｈからなる遊技状態表示部１５と、８つの点光源状のＬＥＤ１６ａ〜１６ｈからなる遊技状態表示部１６とを具備している。そして一方の遊技状態表示部１５は、最上部列に１個のＬＥＤ１５ａが配置され、その下２列目に２個のＬＥＤ１５ｂ，１５ｃがＬＥＤ１５ａの夫々斜め下となるように並設され、その下３列目には３個のＬＥＤ１５ｄ〜１５ｆがＬＥＤ１５ｂ，１５ｃの斜め下となるように並設され、その下４列目に２個のＬＥＤ１５ｇ，１５ｈがＬＥＤ１５ｄ〜１５ｆの斜め下となるように配置されている。また、他方の遊技状態表示部１６は最上部列に２個のＬＥＤ１６ａ，１６ｂが並設され、その下２列目に３個のＬＥＤ１６ｃ〜１６ｅがＬＥＤ１６ａ，１６ｂの夫々斜め下となるように並設され、その下３列目には２個のＬＥＤ１６ｆ，１６ｇがＬＥＤ１６ｃ〜１６ｅの斜め下となるように並設され、その下４列目に１個のＬＥＤ１６ｈがＬＥＤ１６ｆ，１６ｇの斜め下となるように配置されたものである。
【００１２】
そして、図３の縦断面図に示したように、これらの８つのＬＥＤ１５ａ〜１５ｈの前方、および８つのＬＥＤ１６ａ〜１６ｈの前方を覆うようにのぞき見防止フィルム１７を該各ＬＥＤを覆うように張設し、該各ＬＥＤが遊技機前面の特定方向からのみ限定的に視認されるようにする。該のぞき見防止フィルム１７は、図４に示したように、透明フィルム１７ａと透明フィルム１７ｂとの間にルーバー遮光板１７ｃを配置してなるもので、該ルーバー遮光板１７ｃにより光が前方にだけ透過し、斜め上方や下方への光を遮断する。このため、遊技者が普通に遊技機に向って遊技している状態では目の高さが概ね画像表示器５の正面の高さにあるため、遊技状態表示部１５および１６のＬＥＤの点灯状況をはっきり見ることはできず、その点灯状況は遊技状態表示部１５および１６の正面に目の高さを移動させたときに初めて視認することができる。なお、１８は証紙を貼付するために形成された平面部である。
【００１３】
図５はこの遊技機を作動させる遊技制御基板のブロック図で、２０はＣＰＵとＲＡＭ，ＲＯＭとからなるメイン制御基板、２１は払出制御回路２２と演出制御回路２３と画像制御回路２４とランプ制御回路２５とからなるサブ制御基板である。該各制御回路は夫々ＣＰＵとＲＡＭ，ＲＯＭを備えている。メイン制御基板２０には、前記始動口６ａ，６ｂに入賞した遊技球を検出するスイッチ２５ａ，２５ｂ、その開閉翼片を開閉動させるソレノイド２６、前記通過ゲート８を通過する遊技球を検出するスイッチ２７、大入賞口７に入賞した遊技球を検出するスイッチ２８、大入賞口７を開閉させるソレノイド２９、普通入賞口１０に入賞した遊技球を検出するスイッチ３０が夫々接続されているほか、前記普通図柄変動保留数表示部１２の各ＬＥＤ、普通図柄表示部１３の各ＬＥＤ、特別図柄変動保留数表示部１４の各ＬＥＤ、遊技状態表示部１５の各ＬＥＤ、遊技状態表示部１６の各ＬＥＤが接続されている。
【００１４】
また、払出制御回路２２はメイン制御基板２０に接続され、該払出制御回路２２にはメイン制御基板２０からの指令により所定数の賞球を払い出すために必要な賞球払出装置を作動させるモータ３１が接続されている。また、演出制御回路２３はメイン制御基板２０に接続され、該演出制御回路２３に画像制御回路２４とランプ制御回路２５が接続され、該画像制御回路２４に、画像表示器５および遊技者に対し効果音および遊技に必要な音声案内等を発声させるスピーカ３２が接続されている。また、ランプ制御回路２５には前記装飾可動体９を回転動させるモータ３３、装飾ランプ３４、枠ランプ３５等が接続されている。
【００１５】
このパチンコ遊技機では、遊技球が通過ゲート８を通過し、該遊技球がスイッチ２７により検出されると、メイン制御基板２０の作動により乱数が取得されて「○×」の抽選が行われ、前記普通図柄表示部１３の２つのＬＥＤ１３ａ，１３ｂが交互に点滅し、「○」または「×」のいずれかが点灯した状態で点滅停止し、「○」が点灯した状態であると、ソレノイド２６を作動させ始動口６ｂの開閉翼片を開閉動させる。また、ＬＥＤ１３ａ，１３ｂが点滅している間、または該開閉翼片が開閉動している間に遊技球が通過ゲート８を通過しスイッチ２７により検出されるとその遊技球の検出が最大４個まで記憶され、その記憶状態を普通図柄変動保留数表示部１２のＬＥＤ１２ａ〜１２ｄを左側に位置するものから順に点灯させることにより表示する。
【００１６】
また、始動口６ａ，６ｂに遊技球が入賞しスイッチ２５ａ，２５ｂにより検出されると、メイン制御基板２０の作動により乱数が取得され、その乱数を判別することにより「ハズレ」であるか「通常大当たり」または「確変大当たり」であるかが決定すると共に、該メイン制御基板２０から図柄変動パターン情報と遊技モード情報がサブ制御基板２１の演出制御回路２３に出力され、該演出制御回路２３は該図柄変動パターン情報と遊技モード情報に基いて画像表示器５に図柄を変動表示する。また、メイン制御基板２０から出力された図柄変動パターン情報と遊技モード情報は前記遊技状態表示部１５と遊技状態表示部１６にも直接入力され、その入力情報に従いＬＥＤ１５ａ〜１５ｈおよびＬＥＤ１６ａ〜１６ｈを点灯または消灯させ、その点灯状態によって大当たり図柄や遊技モード（例えば、「確変」、「時短」などの遊技状態）を識別し得るようになる。なお、この実施形態では、ＬＥＤ１５ａ〜１５ｈによっては遊技球が始動口６ａに入賞して始動した場合の遊技状態表示がなされ、ＬＥＤ１６ａ〜１６ｈによっては遊技球が始動口６ｂに入賞して始動した場合の遊技状態表示がなされるようにしている。そして、これらの点灯状況はこの遊技状態表示部１５、１６の正面から見ることができ、該各ＬＥＤの点灯状況を予め決められた一覧表（図示せず）と照らし合わして見ることにより監視員や検査員のような特定の者には、このメイン制御基板２０から出力された電子情報の表示の意味するところを容易に知ることができる。一方、遊技中の遊技者は該各ＬＥＤを視認困難であると共に、該各ＬＥＤは一直線上に配置されていないことから、一般の遊技者にはその表示が意味するところを察知することが容易でない。
【００１７】
また、画像表示器５が図柄変動表示中であったり大当たり作動中であるときに、始動口６ａ，６ｂに遊技球が入賞すると、その遊技球の検出についても最大４個まで記憶され、その記憶状態が特別図柄変動保留数表示部１４のＬＥＤ１４ａ〜１４ｄを左側に位置するものから順に点灯させることにより表示される。なお、この特別図柄変動保留数表示部１４、前記普通図柄変動保留数表示部１２、および普通図柄表示部１３については、各ＬＥＤを一直線上に配置していることから、その点灯状態から現況の保留個数等の遊技情報が遊技者にも認知し易いようにしている。
なおこの実施形態では２つの遊技状態表示部１５、１６を設けた例を示したが、１つまたは３つ以上の遊技状態表示部が設けられることもある。
【００１８】
このように本発明では、メイン制御基板２０から出力される図柄変動パターン情報や遊技モード情報など特定の情報については、ＬＥＤを複数個非直線状に配置すると共に、該各ＬＥＤを覆うようにのぞき見防止フィルム１７を設けたことにより、遊技中の遊技者から該各ＬＥＤが見難いようにしたので、例えば「突確」に係わるような遊技者にあまり知られたくない情報についてはこれを大まかに伏せておくことができる。このため遊技性を向上させることができる。しかも、監視員や検査員のような特定の者にはメイン制御基板２０から出力された電子情報の表示の意味するところを容易に知ることができるので、不正行為や不正改造を防止することの妨げになることはない。即ち、監視員や検査員のような特定の者によっては遊技状態表示装置の表示内容を知り得ることから不正行為や不正改造を防止できる一方、一般の遊技者にはその表示を見難いようにすることでパチンコ遊技機の遊技性を高めることができる。また、本発明によって隣の遊技者が遊技状態表示装置をのぞき見することの弊害もなくすことができる。
【図面の簡単な説明】
【００１９】
【図１】本発明に係るパチンコ遊技機の正面図。
【図２】本発明に係るパチンコ遊技機の遊技状態表示装置の拡大正面図。
【図３】本発明に係るパチンコ遊技機の遊技状態表示装置の縦断面図。
【図４】本発明に係るパチンコ遊技機の遊技状態表示装置ののぞき見防止フィルムの拡大縦断面図。
【図５】本発明に係るパチンコ遊技機のブロック図。
【符号の説明】
【００２０】
１              遊技盤
５              画像表示器
６ａ，６ｂ      始動口
７              大入賞口
８              通過ゲート
１１            遊技状態表示装置
１２            普通図柄変動保留数表示部
１２ａ〜１２ｄ  普通図柄変動保留数表示部のＬＥＤ
１３            普通図柄表示部
１３ａ，１３ｂ  普通図柄表示部のＬＥＤ
１４            特別図柄変動保留数表示部
１４ａ〜１４ｄ  特別図柄変動保留数表示部のＬＥＤ
１５，１６      遊技状態表示表示部
１５ａ〜１５ｈ，１６ａ〜１６ｈ  遊技状態表示部のＬＥＤ
１７            のぞき見防止フィルム
２０            メイン制御基板
２１            サブ制御基板
２２            払出制御回路
２３            演出制御回路
２４            画像制御回路
２５            ランプ制御回路
【図１】
2010017267.tif 000003
【図２】
2010017267.tif 000004
【図３】
2010017267.tif 000005
【図４】
2010017267.tif 000006
【図５】
2010017267.tif 000007